(57)【要約】【課題】本考案はフェンス、看板、案内ポール等で、人が故意に衝撃を与える。或いは車等が接触した時、破壊された状態や、折れ曲がったままの状態であったものを原型に復旧させることを課題にしている。【解決手段】本考案はフェンス、看板、案内ポール等のフェンスの支柱、看板の取り付け支柱、または案内ポール等の支柱と、地面もしくは、コンクリート基礎等との固定部分、或いは、フェンスにおけるフェンスの支柱とフェンスの横材との取り付け部分、または、フェンスの横材とフェンスネットとの取り付け部分にバネ、ゴム、或いは伸縮自由な部材を設ける、これらは、バネ、ゴム、或いは伸縮自由な部材の取り付け部分を基点に上下、或いは前後左右に自由自在に動くようにし、衝撃を吸収させることにより問題点を解決している。壊された状態や、折れ曲がったままの状態であったものを、原型に復旧させることで安心、安全を保てるものである。【選択図】図１
0003116952.tif 000002
【実用新案登録請求の範囲】
【請求項１】
フェンス、看板、案内ポール、外灯、門柱等でフェンスの取り付け支柱、看板の取り付け支柱、または案内ポールの取り付け支柱、外灯の取り付け支柱、門柱の取り付け支柱と、地面もしくは、コンクリート基礎等との固定部分、また、フェンスにおける支柱または、網状ネットを支える横ポール材と網状ネットとの取り付け部分にバネ、ゴム、或いは伸縮自由な部材を設け、バネ、ゴム、或いは伸縮自由な部材の取り付け部分を基点に上下、或いは前後左右に自由自在に動くようにするための方法。
【考案の詳細な説明】
【技術分野】
【０００１】
本考案は、フェンス、看板、外灯や案内ポール等の設置物が変形した場合、原型状態に戻すための方法に関するものである。
【背景技術】
【０００２】
フェンス、看板、外灯や案内ポール等は、人が故意に破壊、或いは車等が接触した時、破壊された状態や、折れ曲がったままの状態であった。
【考案の開示】
【考案が解決しようとする課題】
【０００３】
フェンス、看板、外灯や案内ポール等は折れた状態や曲がったままの状態では次に通行する者にとって邪魔になり尚且つ危険を伴う。
【課題を解決するための手段】
【０００４】
本考案は、原型復旧のフェンス、看板、外灯や案内ポール等のフェンスの取り付け支柱、看板の取り付け支柱、または外灯や案内ポールの取り付け支柱等と、地面もしくは、コンクリート基礎等との固定部分、或いは、フェンスにおける支柱または、フェンスネットを支える横ポール材とフェンスネットとの取り付け部分にバネ、ゴム、或いは伸縮自由な部材を設け、バネ、ゴム、或いは伸縮自由な部材の取り付け部分を基点に上下、或いは前後左右に自由自在に動くようにし、衝撃を吸収することにより問題点を解決している。
【考案の効果】
【０００５】
上述の様に、本考案の原型復旧のフェンス、看板、外灯や案内ポール等は、フェンスの取り付け支柱、看板の取り付け支柱、または案内ポール等と、地面もしくは、コンクリート基礎等との固定部分、或いは、フェンスにおける支柱または、フェンスネットを支える横材とフェンスネットとの取り付け部分にバネ、ゴム、或いは伸縮自由な部材を設けることにより、これらは伸縮自由になり、人が故意に破壊、或いは車等が接触しても一旦は曲がるが、すぐに原型に戻ることにより安全が確保できる。
【考案を実施するための最良の形態】
【０００６】
バネ、ゴム、或いは伸縮自由な部材を取り付けたフェンス、看板、外灯や案内ポール等を地面、或いはコンクリート基礎等に設置する場合は、地面、コンクリート基礎等にしっかりと固定設置することにより、それ等は固定設置部分を基点に自由自在に動き、人が故意に破壊、或いは車等が接触した場合に、一旦は曲がったそれ等はすぐに原型に戻る。また、壁面取り付けの場合も地面の取り付けと同じ形態で行うものである。
【実施例】
【０００７】
以下、添付図面に従って実施例を説明する。図１の１と２はバネ、ゴム、或いは伸縮自由な部材で、フェンスの支柱５と或いはフェンスのネットを支える横材６とフェンスネット７を取り付け、図ように地面８に設置の場合は基礎コンクリート３の様に、基礎コンクリート上に設置の場合は直接固定し取り付ける。
【０００８】
図２はバネ、ゴム、或いは伸縮自由な部材１を外灯や案内看板等９に図の様に取り付けて、地面、もしくはコンクリート基礎上に設置する。
【図面の簡単な説明】
【０００９】
【図１】はフェンスの正面図である。
【図２】は外灯や案内看板等の正面図である。
【符号の説明】
【００１０】
１  バネ、ゴム、或いは伸縮自由な部材
２  バネ、ゴム、或いは伸縮自由な部材の小部材
３  コンクリート等の基礎
４  ブロックやコンクリート等の基礎
５  フェンスの支柱
６  フェンスネットの取り付け横材
７  フェンスネット
８  地面
９  外灯や案内看板の支柱
１０外灯や案内看板
【図１】
0003116952.tif 000003
【図２】
0003116952.tif 000004
【手続補正書】
【提出日】平成16年7月20日(2004.7.20)
【手続補正１】
【補正対象書類名】実用新案登録請求の範囲
【補正対象項目名】全文
【補正方法】変更
【補正の内容】
【実用新案登録請求の範囲】
【請求項１】
フェンス、看板、案内ポール、外灯、門柱等でフェンスの支柱、看板の取り付け支柱、または案内ポールの支柱、外灯の支柱、門柱の取り付け支柱等と、地面もしくは、コンクリート基礎等との固定部分、また、フェンスにおけるフェンスの支柱とフェンスの横材との固定部分、または、フェンスの支柱とフェンスネットの固定部分、フェンスの横材とフェンスネットとの固定部分にバネ、ゴム、或いは伸縮自由な部材を設け、バネ、ゴム、或は伸縮自由な部材の取り付け部分を基点に上下、或いは前後左右に自由自在に動くことを特徴とするフェンス、看板、案内ポール、外灯、門柱等。
【手続補正２】
【補正対象書類名】明細書
【補正対象項目名】全文
【補正方法】変更
【補正の内容】
【考案の詳細な説明】
【技術分野】
【０００１】
本考案は、フェンス、看板、外灯や案内ポール等が変形した場合、原型の状態に戻すことに関するものである。
【背景技術】
【０００２】
フェンス、看板、外灯や案内ポール等は、人が故意に衝撃を与える。或いは車等が接触した時、破壊された状態や、折れ曲がったままの状態であった。
【考案の開示】
【考案が解決しようとする課題】
【０００３】
フェンス、看板、外灯や案内ポール等は折れた状態や曲がったままの状態では次に通行する者にとって邪魔になり尚且つ危険を伴う。よって折れた状態や曲がった状態を原型に復旧させようとするものである。
【課題を解決するための手段】
【０００４】
本考案は、フェンス、看板、外灯や案内ポール等のフェンスの支柱、看板の取り付け支柱、または外灯や案内ポール等の支柱と、地面もしくは、コンクリート基礎等との固定部分、或いは、フェンスにおけるフェンス支柱とフェンスの横材との固定部分、フェンス支柱とフェンスネットの取り付け部分、または、フェンスの横材とフェンスネットとの取り付け部分にバネ、ゴム、或いは伸縮自由な部材を設け、バネ、ゴム、或いは伸縮自由な部材の取り付け部分を基点に上下、或いは前後左右に自由自在に動くようにし、衝撃を吸収することにより問題点を解決している。
【考案の効果】
【０００５】
上述の様に、本考案の原型復旧のフェンス、看板、外灯や案内ポール等は、フェンスの支柱、看板の取り付け支柱、または案内ポール等の支柱と、地面もしくは、コンクリート基礎等との固定部分、或いは、フェンスにおける支柱とフェンスの横材、または、フェンスの横材とフェンスネットとの取り付け部分にバネ、ゴム、或いは伸縮自由な部材を設けることにより、これらは伸縮自由になり、人が故意に衝撃を与えた場合、或いは車等が接触しても一旦は曲がるが、すぐに原型に戻ることにより安全が確保できる。
【考案を実施するための最良の形態】
【０００６】
バネ、ゴム、或いは伸縮自由な部材を取り付けたフェンス、看板、外灯や案内ポール等を地面、或いはコンクリート基礎等に設置する場合は、地面、コンクリート基礎等にしっかりと固定設置することにより、それ等は固定設置部分を基点に自由自在に動き、人が故意に衝撃を与えた場合、或いは車等が接触した場合にも、一旦は曲がったそれ等はすぐに原型に戻る。また、壁面取り付けの場合も地面の取り付けと同じ形態で行うものである。
【実施例】
【０００７】
以下、添付図面に従って実施例を説明する。図１の１と２はバネ、ゴム、或いは伸縮自由な部材で、フェンスの支柱５とフェンスのネットを支える横材６とフェンスネット７を取り付け、図ように地面８に設置の場合は基礎コンクリート３の様に、また、基礎コンクリート上に設置の場合は直接固定し取り付ける。
【０００８】
図２はバネ、ゴム、或いは伸縮自由な部材１を外灯や看板、案内ポール等９に図の様に取り付けて、地面、もしくはコンクリート基礎上に設置する。
【図面の簡単な説明】
【０００９】
【図１】はフェンスの正面図である。
【図２】は外灯や看板、案内ポール等の正面図である。
【符号の説明】
【００１０】
１  バネ、ゴム、或いは伸縮自由な部材
２  バネ、ゴム、或いは伸縮自由な部材の小部材
３  コンクリート等の基礎
４  ブロックやコンクリート等の基礎
５  フェンスの支柱
６  フェンスネットの横材
７  フェンスネット
８  地面
９  外灯や看板、案内ポールの支柱
１０外灯や案内看板
【手続補正３】
【補正対象書類名】図面
【補正対象項目名】全図
【補正方法】変更
【補正の内容】
【図１】
0003116952.tif 000005
【図２】
0003116952.tif 000006
【手続補正書】
【提出日】平成16年12月27日(2004.12.27)
【手続補正１】
【補正対象書類名】実用新案登録請求の範囲
【補正対象項目名】全文
【補正方法】変更
【補正の内容】
【実用新案登録請求の範囲】
【請求項１】
フェンスの支柱と地面の取り付け部分、フェンスの支柱とフェンスの横材の接合部分、又は、フェンスの支柱とフェンスネットの接合部分、或はフェンスの横材とフェンスネットとの接合部分にバネ、ゴム、或いは伸縮自由な部材を設け、それらの部材の取り付け部分、又は接合部分が上下左右、或は前後に自由自在に動くことを特徴とするフェンス。
【請求項２】
案内ポールの支柱部分と地面の取り付け部分にバネ、ゴム、或いは伸縮自由な部材を設けることにより、それらの部材の取り付け部分が上下左右、或は前後に自由自在に動くことを特徴とする案内ポール。
【手続補正２】
【補正対象書類名】明細書
【補正対象項目名】全文
【補正方法】変更
【補正の内容】
【考案の詳細な説明】
【技術分野】
【０００１】
本考案は、フェンスや案内ポールの取り付け部分、又はそれらの部材の接合部分にバネ、ゴム、或いは伸縮自由な部材を設けることに関するものである。
【背景技術】
【０００２】
駐車場や道路沿いのフェンスや案内ポールは、人が故意に衝撃を与える。或いは車等が接触した時、破壊された状態や、折れ曲がったままの状態である為、通行の妨げになり、危険を伴い、又は修復にかなりの手間と費用がかかった。
【考案の開示】
【考案が解決しようとする課題】
【０００３】
フェンスや案内ポールで、一旦は折れ曲がった状態のものを元の状態に復旧させる。
【課題を解決するための手段】
【０００４】
本考案は、フェンスや案内ポール取り付け部分、又はそれらの部材の接合部分にバネ、ゴム、或いは伸縮自由な部材を設け、その取り付け部分、接合部分を上下左右或は前後に自由自在に動かし、衝撃を吸収させることにより元の状態に戻し問題点を解決している。
【考案の効果】
【０００５】
本考案の原型復旧のフェンスや案内ポールは、その取り付け部分、部材の接合部分にバネ、ゴム、或いは伸縮自由な部材を設けることにより、これらは伸縮自由になり、人が故意に衝撃を与えた場合、或いは車等が接触しても一旦は曲がるが、すぐに元の状態に戻ることにより安全の確保ができ、修繕の手間と費用が省ける。
【考案を実施するための最良の形態】
【０００６】
バネ、ゴム、或いは伸縮自由な部材を取り付けたフェンスや案内ポールを地面に固定設置、又は部材の接合部分に取り付けることにより、それ等は固定設置部分を基点に自由自在に動くようにする。
【実施例】
【０００７】
以下、添付図面に従って実施例を説明する。図１の１と２はバネ、ゴム、或いは伸縮自由な部材で、フェンスの支柱５、フェンスのネットを支える横材６、フェンスネット７を取り付け、基礎コンクリート３の様に、又はブロック、コンクリート４上に設置の場合は直接固定し取り付ける。
【０００８】
図２はバネ、ゴム、或いは伸縮自由な部材１を案内ポール９に図の様に取り付けて、地面、もしくはコンクリート基礎上に設置する。
【図面の簡単な説明】
【０００９】
【図１】フェンスの正面図である。
【図２】案内ポール等の正面図である。
【符号の説明】
【００１０】
１  バネ、ゴム、或いは伸縮自由な部材
２  バネ、ゴム、或いは伸縮自由な部材の小部材
３  コンクリートの基礎
４  ブロック、コンクリートの基礎
５  フェンスの支柱
６  フェンスネットの横材
７  フェンスネット
８  地面
９  案内ポールの支柱
１０案内看板
【手続補正３】
【補正対象書類名】図面
【補正対象項目名】全図
【補正方法】変更
【補正の内容】
【図１】
0003116952.tif 000007
【図２】
0003116952.tif 000008